【事件の表示】
　特願２００１−５５７８７９「シリコン含有化合物」拒絶査定不服審判事件〔平成１３年　８月　９日国際公開、ＷＯ０１／５７０４８、平成１５年　７月２２日国内公表、特表２００３−５２２２２７〕について、次のとおり審決する。
【結　論】
　本件審判の請求は、成り立たない。
【理　由】
第１　主な手続の経緯
　
　本願は，平成１３年２月７日（パリ条約による優先権主張，２０００年２月７日，欧州特許庁（ＥＰ））を国際出願日とする特許出願であって，平成２５年１月３１日付けで拒絶査定がされたところ，これに対して，同年６月４日に拒絶査定不服審判が請求されると同時に特許請求の範囲が補正され，同年８月３０日付けで平成２３年法律６３号改正附則２条８項によりなお従前の例によるとされる同法による改正前の特許法（以下単に「特許法」という場合がある。）３９条７項で定める協議をさせるための指令書（以下「本件指令書」という。）が発送され，同日付けで拒絶理由（以下「本件拒絶理由」という。）が通知され，指定期間内に応答がなく，平成２６年６月２６日に前置報告がなされたものである。
　
第２　本願発明
　
　本願の請求項１〜３２に係る発明（以下，順に「本願発明１」〜「本願発明３２」といい，これらを総称して「本願発明」ともいう。）は，平成２５年６月４日付けで補正された特許請求の範囲の請求項１〜３２に記載された事項により特定される次のとおりのものである。なお，下線については，当審において付与した。
　
　「【請求項１】
　式（Ｘ）を有するシリコン含有付加物。
【化１】
　式中，
Ｘ
１
は，カルボニル
基
であり
　
Ｒ
２４
は
１つ以上の両性イオン基Ｚで置換された，アルコキシ
基から成るグループから選択され
　
Ｒ
２５
及びＲ
２６
は，水素及びＣ
１
−Ｃ
１２
アルキル基から独立に選択され
　
Ｒ
２７
は，式（ＶＩＩ）で表わされる基であり，
【化２】
　（式中，
　　基Ｒ１４，Ｒ１５及びＲ１６のうち少なくとも一つは，分子の残りと窒素原子を介して共有結合している二価ラジカルであるという条件で，
　　
Ｒ
１４
，Ｒ
１５
及び各Ｒ
１６
は
分岐状及び直鎖状Ｃ
１
−Ｃ
１２
アルキル
から選択される一価の基と
　　原子価結合，
分岐状及び直鎖状Ｃ
１−６
アルカンジイル
から成るグループから選択され，これらはいずれも一級
アミン基
によって置換されてもよい二価の基
　　　ｎは０〜３００であり，
　　　ｐは０〜５０である。）
　
Ｒ
２８
は
アルキル
基であって
イソシアネート基を含む基
【請求項２】
　前記両性イオンＺが，一般式（ＩＩ）を有する請求項１に記載の付加物。
【化３】
　式中，
　部分Ａ１及びＡ２は同じであっても異なっていても良く，−Ｏ−，−Ｓ−，−ＮＨ−あるいは原子価結合であり，　Ｗ＋は，アンモニウム，ホスホニウム，あるいはスルホニウム陽イオン基と，陰イオン体と陽イオン体を結合する基とを含む基である。
【請求項３】
　Ａ１及びＡ２が−Ｏ−である，請求項２に記載の付加物。
【請求項４】
　Ｗ＋が以下の式の基である，請求項２に記載の付加物：−Ｗ１−Ｎ＋Ｒ５３，−Ｗ１−Ｐ＋Ｒ６３，−Ｗ１−Ｓ＋Ｒ６２，あるいは−Ｗ１−Ｈｅｔ＋。　（式中，Ｗ１は，１つ以上の不飽和エチレン二重結合または三重結合を任意に含む，１個以上の炭素原子のアルカンジイル，２個の置換原子を有するアリール（アリレン），アルキレンアリレン，アリレンアルキレン，あるいはアルキレンアリールアルキレン，シクロアルカンジイル，アルキレンシクロアルキル，シクロアルキルアルキレン，あるいはアルキレンシクロアルキルアルキレンであり，Ｗ１基は任意に１つ以上の置換物及び／又は１つ以上の官能基を含み，複数のＲ５基は，同じであっても異なっていても良く，それぞれは水素または１〜４個の炭素のアルキルか，アリールであるか，あるいはＲ５のうちの二つの基が，付加している窒素原子とともに５個〜７個の原子を含む脂肪族複素環を形成しているか，あるいはＲ５のうちの三つの基が，付加している窒素とともに各環に５個から７個の原子を含む融合環構造を形成しており，Ｒ５のうちの１つ以上が任意に親水性の官能基で置換しており，複数のＲ６基は， 同じであっても異なっていても良く，それぞれはＲ５かまたはＯＲ５基であり，ここでＲ５は上記定義されたものであり，Ｈｅｔは，芳香族で，窒素含有，りん含有，あるいは硫黄含有の環である。）
【請求項５】
　前記式（ＩＩ）の両性イオンが一般式（ＩＩＩ）を有する請求項４に記載の付加物。
【化４】（イメージ省略）
　式中，複数のＲ７基は，同じであっても異なっていても良く，それぞれは水素または１〜４個の炭素のアルキルであり，
　ｍは１から４であり，
　好ましくは，複数のＲ７基は同じである。
【請求項６】
　Ｘ１がカルボニル基である前記請求項のいずれかに記載の付加物。
【請求項７】
　Ｒ２４がヒドロキシアルコキシ，ヒドロキシ，及びポリ（オキシアルキル）オキシ基から選択される請求項６に記載の付加物。
【請求項８】
　Ｒ２８がエチレン不飽和基を含む請求項１に記載の付加物。
【請求項９】
　式（ＸＩ）または（ＸＩＩ）を有する請求項１に記載の付加物。
【化５】（イメージ省略）
　式中，
　複数の基Ｒ３３のうち少なくとも一つは，エチレン不飽和基又はイソシアネート基を含有し，
　各基Ｒ２９及び基Ｒ３１は，水素，Ｃ１−６アルキル，Ｃ６−１８アリール，Ｃ６−１８アラルキル，Ｃ６−１８アルカリール，及びＣ２−６アルケニルから成るグループから独立に選択され，
　各Ｒ３０は，Ｃ１−６アルカンジイル，Ｃ２−６アルケンジイル，及びＣ２−６アルキンジイルから成るグループから独立に選択され，
　各Ｒ３２は，ヒドロキシ，ヒドロキシアルコキシ，ヒドロキシ（オリゴアルコキシ）及び両性イオン基Ｚからなるグループから独立に選択され，
　各Ｒ３３は，直鎖状及び分岐状のアルキル，アリール，アルケニル，及びアルキニル基，シクロアルキル，シクロアルケニル，シクロアルキニル，アラルキル，アルカリール，アルコキシアリール，アルコキシアルキル，オリゴアルコキシアルキル，アリールアミノアルキル，Ｎ−アリール−Ｎ−アルキルアミノアルキル，アシルオキシアルキル（アルケノイルオキシアルキルを含む），アシルアミノアルキル，アシルアミノシクロアルキル，アシルアミノアリール，Ｎ，Ｎ−ジアシルイミノアルキル基，イソシアネート基で置換され，エチレン不飽和無置換基を含まない上記基を含むグループから個々に選択され，
　ｐは１から５０までの整数であり，
　ｑは１から５００までの整数であり，
　ｒは１から５０までの整数であり，
　ｔは０か１である。
【請求項１０】
　全ての基Ｒ２９とあらゆる基Ｒ３１が全てメチルであり，Ｒ３０はメタンジイル，プロパンジイル，及びブタンジイルから選択される請求項９に記載の付加物。
【請求項１１】
　ｉ）第一のステップにおいて，アミノ基を有する式（ＸＸＩ）の有機シロキサン化合物
【化６】（イメージ省略）
　（式中，Ｒ５３−Ｒ５６は，各々Ｃ１−Ｃ１２アルキル，Ｃ２−１２アルケニル，Ｃ２−１２アルキニル，Ｃ６−１８アリール，Ｃ７−１８アラルキル，及びＣ７−１８アルカリールから選択され，少なくとも一つを一級アミンに置換するなら，いずれを一級アミン基に置換しても良く，ｎは０〜３００である。）
が，式ＣＨ（Ｒ３９）＝ＣＨ（Ｒ４０）Ｘ２Ｒ４１（式中，Ｒ３９とＲ４０とは，水素及びＣ１−１２アルキル基から独立に選択され，Ｘ２は，カルボニル及びスルホン基，スルホニウム及びホスホニウム塩からなるグループから選択された電子吸引基であり，Ｒ４１は，二級アミン中間体Ｒ３８ＮＨＣＨ（Ｒ３９）ＣＨ（Ｒ４０）Ｘ２Ｒ４１を生成するために，１つ以上の両性イオン基Ｚで置換された，アルコキシ，アルコキシアルコキシ，及びオリゴアルコキシアルコキシ基から成るグループから選択される。）のマイケル試薬と反応し，
　ｉｉ）第二のステップにおいて，二級アミン中間体は，二級アミン基の窒素原子と反応してウレイド結合を生成するイソシアネート化合物Ｒ４２ＮＣＯ（式中，Ｒ４２は，任意に置換された，アルキル，アルケニル，アルキニル，アリール，シクロアルキル，シクロアルケニル，またはシクロアルキニル基であって，エチレン不飽和基またはイソシアネート基を含む基である。）と反応する方法。
【請求項１２】
　Ｒ３９及びＲ４０が水素またはＣ１−Ｃ４アルキル基から選択される請求項１１に記載の方法。
【請求項１３】
　Ｘ２がカルボニルである請求項１１又は１２に記載の方法。
【請求項１４】
　各Ｒ５４が，アミノ−Ｃ１−６−アルキル基である請求項１１に記載の方法。
【請求項１５】
　各Ｒ５４が，アミノメチル，アミノエチル，アミノプロピル，またはアミノブチルである請求項１４に記載の方法。
【請求項１６】
　イソシアネート化合物は式Ｒ５１（ＮＣＯ）ｍである請求項１１から１５のいずれかに記載の方法であって，式中，Ｒ５１はｍ個の官能基（m-functional）を持つ有機ラジカルであり，ｍは１−１０の整数である方法。
【請求項１７】
　ｍが２である請求項１６に記載の方法。
【請求項１８】
　イソシアネートが，Ｃ２−３０脂肪族，Ｃ６−３０芳香族，及びＣ６−３０脂環系のイソシアネートまたはジイソシアネート，Ｃ４−３０アリルイソシアネート，Ｃ４−３０イソシアナトアルキルアクリレート，Ｃ５−３０イソシアナトアルキルメタクリレートから成るグループから選択される請求項１７に記載の方法。
【請求項１９】
　イソシアネートが，アリルイソシアネート，ジメチルメターイソプロペニルベンジイルイソシアネート，イソホロンジイソシアネート，ヘキサメチレンジイソシアネート，又はメタ−テトラメチルキシリレンジイソシアネートである請求項１８に記載の方法。
【請求項２０】
　反応が非溶媒系で行われる請求項１１から１９のいずれかに記載の方法。
【請求項２１】
　反応が溶媒の存在下で行われる，請求項１１から１９のいずれかに記載の方法。
【請求項２２】
　溶媒が，Ｃ１−８アルコール，Ｃ１−８塩素化炭化水素，Ｃ１−８アルキルアクリルアミド，及びＣ１−８エーテルから選択される有機溶媒である請求項２１に記載の方法。
【請求項２３】
　溶媒が，イソプロパノール，イソブタノール，及びｔ−ブタノールから選択されるアルコールである請求項２１に記載の方法。
【請求項２４】
　エチレン不飽和共単量体に対し，請求項８に記載の付加物の添加した混合物を含む組成物。
【請求項２５】
　請求項２４に記載の混合物を重合化することによって生成された重合体を含む組成物。
【請求項２６】
　重合体が溶解するか，または懸濁している溶媒を含んだ液体組成物である請求項２５に記載の組成物。
【請求項２７】
　請求項１から１０のいずれかに記載の付加物，または請求項２５で定義された重合体から生産された物，または前記付加物または前記重合体によってコートされた物。
【請求項２８】
　コンタクトレンズである請求項２７に記載の物。
【請求項２９】
　請求項６に記載の付加物をホモ重合化または共重合化することによって生産された重合体。
【請求項３０】
　遊離基，陽イオン，陰イオン，及び金属触媒による重合化から選択される重合化過程によって生成される請求項２９に記載の重合体。
【請求項３１】
　請求項２６に記載の組成物を重合体または金属の表面に塗布し，ひきつづき溶媒を除去することを含む表面コーティングの過程。
【請求項３２】
　請求項１から１０のいずれかに記載の付加物のホモ重合化または共重合化を含む重合過程。」
　
第３　本件拒絶理由 
　本件拒絶理由は，要するに，本願発明は本願と同一の出願人による同日に出願したとみなされる出願（特願２００１−５５７８７８号。以下「同日出願」という。）に係る発明と同一と認められるから，本件指令書に記載した届出がないときは，本願発明は，同法３９条２項の規定により特許を受けることができない，というものである。 
　
第４　本願が拒絶されるべき理由 
　１　同日出願に係る発明 
　本件拒絶理由における同日出願に係る発明の内容は，職権で取り調べたところによれば，設定登録された特許第５４７７８３２号の願書に添付された特許請求の範囲に記載された事項により特定される次のとおりのものである。
 
　「【請求項１】
　下記式（Ｉ）を有する，両性イオンを含む付加物：
【化１】
（式中，
　Ｘは，カルボニル基であり，
　ＲはＯＲ’基であり，ここでＲ’は，下記一般式（ＩＩ）を有する両性イオン基Ｚと，ＯとＺを結合するアルカンジイル基からなり，
【化２】
［式中，Ａ１及びＡ２部分は，同じであっても異なっていてもよいが，それぞれは−Ｏ−，−Ｓ−，−ＮＨ−あるいは原子価結合であり，Ｗ＋は，アンモニウム，ホスホニウム，あるいはスルホニウム陽イオン基と，陰イオン部分および陽イオン部分を結合する基とを含む基である］
　Ｒ１とＲ２は，水素及びＣ１−１２アルキルから成るグループから個別に選択され，
　
Ｒ
３
は
モノ−
アルキルアミノカルボニル
であって，イソシアネート
の置換基を有し
　
Ｒ
４
は
００から２００００の分子量を持ち，下記式（ＶＩＩ）を有するオルガノシロキシル基
【化３】
[式中，Ｒ９からＲ１２は同一の基であって，
Ｒ
８
は
Ｃ
１−１２
アルカンジイルであって
　式（ＶＩＩ）は，Ｒ８を介して式（Ｉ）のＮ原子に結合している。]
【化４】（イメージ省略）
 [式中，
  Ｒ２９及びＲ３０は同一の基であって水素またはＣ１−６アルキルであり，Ｒ３１からＲ３４は同一の基であって水素またはＣ１−６アルキルであり，Ｒ３５及びＲ３６は同一の基であって水素またはＣ１−６アルキルであり，Ｒ３６は水素またはＣ１−６アルキルであって，Ｒ３７は原子価結合またはアルカンジイルであって，Ｒ３８は水素，Ｃ１−５アルキル，ＮＨＲｘ（式中，Ｒｘは，水素又はＣ１−４アルキル），ＮＨＣＨ２ＣＨ２ＣＯＯＣＨ２ＣＨ２Ｚ，またはＮ（ＣＯＮＨＲ３９）ＣＨ２ＣＨ２ＣＯＯＣＨ２ＣＨ２Ｚであって，Ｒ３９は，イソシアネート，アリル，イソプロペニル，及び（メタ）アクリロイルロキシから選択される官能基である置換基を有するアルキルまたはアリールであって，
　ａは０〜１０の範囲の整数であり，ｂは０〜５００の範囲の整数であり，ｃは０〜１０の範囲の整数であって，
　式（ＶＩＩＩ）は，Ｒ３７を介して式（Ｉ）のＮ原子に結合している。]
【化５】（イメージ省略）
[式中，
　Ｒ１６，Ｒ１７，Ｒ１８は同一の基であって，水素並びに分岐状及び直鎖状Ｃ１−１２アルキルから成るグループから選択され，
　Ｒ１５は，分岐状及び直鎖状Ｃ１−１２アルカンジイルから成るグループから選択され，
　式（ＩＸ）は，Ｒ１５を介して式（Ｉ）のＮ原子に結合している。]）
【請求項２】
　前記Ｗ＋が，式：−Ｗ１−Ｎ＋Ｒ５３で表される基である
（式中，
　Ｗ１は，１つ以上の不飽和エチレン二重結合または三重結合を任意に含む，１個以上の炭素原子のアルカンジイル，２個の置換原子を有するアリール又はアリーレン，アルキレンアリーレン，アリーレンアルキレン，あるいはアルキレンアリールアルキレン，シクロアルカンジイル，アルキレンシクロアルキル，シクロアルキルアルキレン，あるいはアルキレンシクロアルキルアルキレンであり，Ｗ１基は任意に１つ以上のフッ素置換物及び／又は１つ以上の官能基を含み，
　複数のＲ５基は，同じであっても異なっていても良く，それぞれは水素または１〜４個の炭素原子のアルキル，アリール，あるいはＲ５のうちの二つの基が，付着している窒素原子とともに５個〜７個の原子を含む脂肪族複素環を形成しているか，あるいはＲ５のうちの三つの基が，付着している窒素とともに各環に５個〜７個の原子を含む融合環構造を形成している。）
ことを特徴とする，請求項１に記載の付加物。
【請求項３】
　前記式（ＩＩ）の両性イオン基が，下記一般式（ＩＩＩ）を有することを特徴とする，請求項２に記載の付加物。
【化６】（イメージ省略）
（式中，複数のＲ７基は，同じであっても異なっていても良く，それぞれは水素またはＣ１−４アルキルであり，ｍは１から４である。）
【請求項４】
　前記Ｒ’基が下記構造を有することを特徴とする，請求項１〜３のいずれかに記載の付加物。
【化７】（イメージ省略）
【請求項５】
　前記Ｒ１とＲ２が，水素またはＣ１−Ｃ４アルキルから個別に選ばれることを特徴とする，請求項１〜４のいずれかに記載の付加物。
【請求項６】
　下記式（ＸＶＩＩＩ）を有する化合物を，下記式（ＸＩＸ）を有する化合物とマイケル型付加反応させることにより，下記式（ＸＸ）を有する化合物を含有する両性イオンを形成する，付加物の生産方法。
【化８】（イメージ省略）
【化９】（イメージ省略）
【化１０】（イメージ省略）
（式中，
　Ｘは，カルボニル基であり，
　Ｒ４８は，ＯＲ’基であり，ここでＲ’は，下記一般式（ＩＩ）を有する両性イオン基Ｚと，ＯとＺを結合するアルカンジイル基からなり，
【化１１】（イメージ省略）
［式中，Ａ１及びＡ２部分は，同じであっても異なっていてもよいが，それぞれは−Ｏ−，−Ｓ−，−ＮＨ−あるいは原子価結合であり，Ｗ＋は，アンモニウム，ホスホニウム，またはスルホニウム陽イオン基と，陰イオン部分および陽イオン部分を結合する基とを含む基である］
　Ｒ４９とＲ５０は，水素及びＣ１−１２アルキル基から成るグループから個別に選択され，
　Ｒ５１は，３００から２００００の分子量を持ち，下記式（ＶＩＩ）を有するオルガノシロキシル基，１００〜１００００の範囲の分子量を持ち，下記式（ＶＩＩＩ）を有する基，または下記式（ＩＸ）を有するオルガノシリル基であって，
【化１２】（イメージ省略）
[式中，Ｒ９からＲ１２は同一の基であって，Ｒ８は，原子価結合またはＣ１−１２アルカンジイルであって，Ｒ９からＲ１３は，それぞれ，分岐状及び直鎖状のＣ１−１２アルキルから選択され，ｎは０〜３００であって，
　式（ＶＩＩ）は，Ｒ８を介して式（Ｉ）のＮ原子に結合している。]
【化１３】（イメージ省略）
 [式中，
　Ｒ２９及びＲ３０は同一の基であって水素またはＣ１−６アルキルであり，Ｒ３１からＲ３４は同一の基であって水素またはＣ１−６アルキルであり，Ｒ３５及びＲ３６は同一の基であって水素またはＣ１−６アルキルであり，Ｒ３６は水素またはＣ１−６アルキルであって，Ｒ３７は原子価結合またはＣ１−６アルカンジイルであって，Ｒ３８は水素，Ｃ１−５アルキル，または１つのアミノ基によって置換されたアルキルであって，
　ａは０〜１０の範囲の整数であり，ｂは０〜５００の範囲の整数であり，ｃは０〜１０
の範囲の整数であって，
　式（ＶＩＩＩ）は，Ｒ３７を介して式（Ｉ）のＮ原子に結合している。]
【化１４】（イメージ省略）
[式中，
　Ｒ１６，Ｒ１７，Ｒ１８は同一の基であって，水素並びに分岐状及び直鎖状Ｃ１−１２アルキルから成るグループから選択され，
　Ｒ１５は，分岐状及び直鎖状Ｃ１−１２アルカンジイルから成るグループから選択され，
　式（ＩＸ）は，Ｒ１５を介して式（Ｉ）のＮ原子に結合している。]）
【請求項７】
　前記式（ＸＸ）の化合物が，化合物（ＸＸＩＩ）と２つ目の反応を起こし，前記化合物（ＸＸＩＩ）が，イソシアネートまたはジイソシアネートであることを特徴とする，請求項６に記載の方法。
【請求項８】
　前記化合物（ＸＸＩＩ）が，アリルイソシアネート，ジメチルメタイソプロペニルベンジルイソシアネート，イソホロンジイソシアネート，ヘキサメチレンジイソシアネート，及びメタ−テトラメチルキシリレーンジイソシアネートから選択されることを特徴とする，請求項７に記載の方法。
【請求項９】
　前記反応が非溶媒系で行われることを特徴とする，請求項６〜８のいずれかに記載の方法。
【請求項１０】
　前記反応が溶媒の存在下で行われることを特徴とする，請求項６〜８のいずれかに記載の方法。
【請求項１１】
　請求項１〜５のいずれかに記載の付加物と溶媒とを含む液体組成物であって，重合体又は付加物が溶解されるか又は分散させられた液体組成物。
【請求項１２】
　請求項１〜５のいずれかに記載の付加物を含む組成物から生産された，または前記組成物によってコーティングされた，製品。
【請求項１３】
　請求項１〜５のいずれかに記載の付加物のホモ重合化または共重合化によって生産される重合体であって，前記付加物が，前記Ｒ３上の反応基を介して重合化されることを特徴とする重合体。
【請求項１４】
　遊離基，陽イオン，陰イオン，及び金属から選択される触媒による重合化過程によって生産されることを特徴とする，請求項１３に記載の重合体。
【請求項１５】
　請求項１１に記載の組成物を重合体または金属の表面に塗布し，前記溶媒を実質的に取り除くことを含む，表面のコーティング方法。
【請求項１６】
　前記表面が，コーティング重合体と少なくとも一つの共有結合を生成することができる機能的表面であることを特徴とする，請求項１５に記載の方法。
【請求項１７】
　前記表面が金属であって，前記コーティング重合体が，請求項１に記載の付加物を重合
化することによって形成され，Ｒ４は，下記式（ＩＸ）を有するオルガノシリル基であることを特徴とする，請求項１６に記載の方法。
【化１５】（イメージ省略）
[式中，
　Ｒ１６，Ｒ１７，Ｒ１８は同一の基であって，水素並びに分岐状及び直鎖状Ｃ１−１２アルキルから成るグループから選択され，
　Ｒ１５は，分岐状及び直鎖状Ｃ１−１２アルカンジイルから成るグループから選択され，
　式（ＩＸ）は，Ｒ１５を介して式（Ｉ）のＮ原子に結合している。]）
【請求項１８】
　請求項１〜５のいずれかに記載の付加物を，前記Ｒ３上の重合可能な基を介してホモ重合化または共重合化することを含む，重合化の方法。」
　
　２　本願発明が特許を受けることができない具体的理由（本願発明と同日出願に係る発明との対比・判断）
　
　(1)　本願発明２について
　　ア　特定の選択肢を選択した本願発明２
　本願発明２のシリコン含有付加物は，多数の選択肢を有しているものであるので，その中から上記「第２　本願発明」において下線が施された部分を選択した発明を「本願発明２Ａ」とすると，以下のとおりである。
　 
　「式（Ｘ）を有するシリコン含有付加物。
【化１】
　式中，
Ｘ
１
は，カルボニル基であり
　
Ｒ
２４
は
１つ以上の両性イオン基Ｚで置換された，アルコキシ基からなるグループから選択され
　
Ｒ
２５
及びＲ
２６
は，水素及びＣ
１
−Ｃ
１２
アルキル基から独立に選択され
　
Ｒ
２７
は，式（ＶＩＩ）で表わされる基であり
【化２】
　（式中，
　　基Ｒ１４，Ｒ１５及びＲ１６のうち少なくとも一つは，分子の残りと窒素原子を介して共有結合している二価ラジカルであるという条件で，
　　
Ｒ
１４
，Ｒ
１５
及び各Ｒ
１６
は
分岐状及び直鎖状Ｃ
１
−Ｃ
１２
アルキルから選択される一価の基と
　　
分岐状及び直鎖状Ｃ
１−６
アルカンジイルから成るグループから選択され，これらはいずれも一級アミン基によって置換されてもよい二価の基
　　　ｎは０〜３００である。）
　
Ｒ
２８
は
アルキル基であって
イソシアネート基を含む基
　前記両性イオンＺが，下記一般式（ＩＩ）を有するシリコン含有付加物。
【化３】
　式中，
　部分Ａ１及びＡ２は同じであっても異なっていても良く，−Ｏ−，−Ｓ−，−ＮＨ−あるいは原子価結合であり，　Ｗ＋は，アンモニウム，ホスホニウム，あるいはスルホニウム陽イオン基と，陰イオン体と陽イオン体を結合する基とを含む基である。」
　
　　イ　特定の選択肢を選択した同日出願の請求項１に係る発明
　同日出願の請求項１に係る発明の両性イオンを含む付加物は，多数の選択肢を有しているものであるので，その中から上記「第４　１　同日出願に係る発明」において下線が施された部分を選択した発明を「同日出願発明１Ａ」とすると，以下のとおりである。
　
「下記式（Ｉ）を有する，両性イオンを含む付加物：
【化１】
（式中，
　Ｘは，カルボニル基であり，
　ＲはＯＲ’基であり，ここでＲ’は，下記一般式（ＩＩ）を有する両性イオン基Ｚと，ＯとＺを結合するアルカンジイル基からなり，
【化２】
［式中，Ａ１及びＡ２部分は，同じであっても異なっていてもよいが，それぞれは−Ｏ−，−Ｓ−，−ＮＨ−あるいは原子価結合であり，Ｗ＋は，アンモニウム，ホスホニウム，あるいはスルホニウム陽イオン基と，陰イオン部分および陽イオン部分を結合する基とを含む基である］
　Ｒ１とＲ２は，水素及びＣ１−１２アルキルから成るグループから個別に選択され，
　
Ｒ
３
は
モノ−アルキルアミノカルボニルであって，イソシアネートの置換基を有し
　
Ｒ
４
は
３００から２００００の分子量を持ち，下記式（ＶＩＩ）を有するオルガノシロキシル基
【化３】
[式中，Ｒ９からＲ１２は同一の基であって，
Ｒ
８
は
Ｃ
１−１２
アルカンジイルであって
　式（ＶＩＩ）は，Ｒ８を介して式（Ｉ）のＮ原子に結合している。]」
　
　　ウ　本願発明２Ａと同日出願発明１Ａとの対比
　同日出願発明１Ａの式（Ｉ）におけるＲは，ＯＲ’基であり，Ｒ’はＺとＯとＺとを結合するアルカンジイル基からなるものであるから，本願発明２ＡのＲ２４がＺで連結されたアルコキシ基であるものに相当している。
　同日出願発明１Ａの式（Ｉ）におけるＸは，カルボニル基であるから，本願発明２ＡのＸ１に相当する。
　同日出願発明１Ａの式（Ｉ）におけるＲ１，Ｒ２は，それぞれ，本願発明２ＡのＲ２５，Ｒ２６に相当する。
　同日出願発明１Ａの式（Ｉ）におけるＲ３がモノアルキルアミノカルボニルであってイソシアネートの置換基を有しているものは，アルキルをＲとしイソシアネートをＮＣＯとすると下記の構造となるから，本願発明２ＡのＲ２７と連結しているＮ原子から右方に延びている部分で，Ｒ２８がアルキルでイソシアネート置換基を有しているものに相当している。
　　　　　　　　　　Ｏ                  
　 　　　　　 　　　｜｜
　　　　　　　　−　Ｃ　−　Ｎ　−　Ｒ　−　ＮＣＯ
　　　　　　　　　　　　　　｜
　　　　　　　　　　　　　　Ｈ
　同日出願発明１Ａの式（Ｉ）におけるＲ４について，そのＲ８がＣ１−１２アルカンジイルであって，式（ＶＩＩ）は，Ｒ８を介して式（Ｉ）のＮ原子に結合しているのであるから，当該Ｒ８は本願発明２ＡのＲ２７におけるＲ１４に相当している。そして，同日出願発明１ＡのＲ４における式（ＶＩＩ）のＲ９〜Ｒ１３が分岐状及び直鎖状のＣ１−１２アルキルであるから，本願発明２ＡでのＲ２７における式（ＶＩＩ）のＲ１５，Ｒ１６に相当しており，両者におけるｎの値が０〜３００である点でも共通している。そうすると，同日出願発明１Ａの式（Ｉ）におけるＲ４は，本願発明２ＡのＲ２７に相当する。
　以上のことから，同日出願発明１Ａにおける式（Ｉ）は，本願発明２Ａの式（Ｘ）と同一であるので，同日出願発明１Ａにおける「式（Ｉ）を有する，両性イオンを含む付加物」は，本願発明２Ａの「式（Ｘ）を有するシリコン含有付加物」と同一である。
　　
　エ　そうすると，本願発明２において特定の選択肢を選択した本願発明２Ａと，同日出願発明１において，特定の選択肢を選択した同日出願発明１Ａは同一である。
　
　(2)　まとめ
　本願発明２は本願と同一の出願人による同日に出願したとみなされる出願（特願２００１−５５７８７８号（特許第５４７７８３２号）に係る請求項１に記載された発明と同一と認められるから，本願発明２は，特許法３９条２項の規定により特許を受けることができない。
　
第５　むすび
 
　以上のとおり，本願発明２に対する本件拒絶理由は妥当なものであるから，本願の他の請求項に係る発明について検討するまでもなく，本願は拒絶すべきものである。
 
　よって，結論のとおり審決する。